(57)【特許請求の範囲】
【請求項１】
読取対象を載置する載置面と、
前記載置面に載置された読取対象に設けられた読取用ＲＦＩＤタグを検出するＲＦＩＤ検出手段と、
前記載置面に載置された読取対象の画像を読み取る画像読取手段と、
前記ＲＦＩＤ検出手段により検出することができる診断用ＲＦＩＤタグと、
前記ＲＦＩＤ検出手段の検出状態に基づき異常を判定する異常判定手段と、
を備え、
前記ＲＦＩＤ検出手段は、前記載置面の周縁に沿って配設され、前記載置面上に電磁界を発生させることで、前記読取用ＲＦＩＤタグ及び前記診断用ＲＦＩＤタグから情報を受信し、
前記診断用ＲＦＩＤタグは、前記ＲＦＩＤ検出手段の電磁界強度が最弱の位置に配置され、
前記異常判定手段は、前記ＲＦＩＤ検出手段により前記読取用ＲＦＩＤタグが検出されないとき、前記診断用ＲＦＩＤタグが検出される場合には前記読取用ＲＦＩＤタグの異常を判定し、前記診断用ＲＦＩＤタグが検出されない場合には前記ＲＦＩＤ検出手段の異常を判定することを特徴とする画像読取装置。
【請求項２】
当該画像読取装置はフラットベッド型であり、
前記ＲＦＩＤ検出手段および前記画像読取手段は、当該画像読取装置の本体に設けられ、
前記診断用ＲＦＩＤタグは、前記載置面を覆う蓋部材に設けられることを特徴とする、請求項１に記載の画像読取装置。
【請求項３】
前記蓋部材の開閉状態を検出する開閉検出手段を備え、
前記異常判定手段は、前記ＲＦＩＤ検出手段により前記診断用ＲＦＩＤタグが検出されないとき、前記開閉検出手段により前記蓋部材が閉じていることが検出される場合には、前記診断用ＲＦＩＤタグを検出したものとする、または前記診断用ＲＦＩＤタグを再度検出することを特徴とする、請求項２に記載の画像読取装置。
【発明の詳細な説明】
【技術分野】
【０００１】
本発明は、画像読取装置に関する。
【背景技術】
【０００２】
従来、ＲＦＩＤ（Ｒａｄｉｏ  Ｆｒｅｑｕｅｎｃｙ  Ｉｄｅｎｔｉｆｉｃａｔｉｏｎ）タグを備える読取対象から、読取対象の読取面の画像データと、ＲＦＩＤタグに記録されている情報とを１回の操作で読み取ることができる画像読取装置が知られている。
【０００３】
この画像読取装置では、ＲＦＩＤタグの読取処理が正常に行えるかを簡易に確認できることが望ましい。このような技術として、例えば特許文献１，２には、ＲＦＩＤタグを読み取るリーダ装置の内部に識別用ＲＦＩＤタグを設け、この識別用ＲＦＩＤタグの読取可否によって、リーダ装置がＲＦＩＤタグの読取処理を正常に行うか否かを診断する技術が開示されている。
【先行技術文献】
【特許文献】
【０００４】
【特許文献１】特開２００７−１８３８１２号公報
【特許文献２】特開２０１０−７９６１６号公報
【発明の概要】
【発明が解決しようとする課題】
【０００５】
しかしながら、特許文献１，２に記載される、従来のＲＦＩＤタグ読取処理の診断技術では、ＲＦＩＤタグ読取処理が正常に行われないと診断された場合に、ＲＦＩＤタグに異常が発生しているのか、またはリーダ装置やＲＦＩＤアンテナなどの通信系に異常が発生しているのかを切り分けることができなかった。このため、画像読取装置のＲＦＩＤシステムに異常が検出されても、異常箇所を特定するために時間を要し、ユーザの業務停止時間が長くなってしまう虞があった。
【０００６】
本発明は、上記に鑑みてなされたものであって、ＲＦＩＤシステムの異常箇所を精度良く検出することができる画像読取装置を提供することを目的とする。
【課題を解決するための手段】
【０００７】
上記課題を解決するために、本発明に係る画像読取装置は、読取対象を載置する載置面と、前記載置面に載置された読取対象に設けられた読取用ＲＦＩＤタグを検出するＲＦＩＤ検出手段と、前記載置面に載置された読取対象の画像を読み取る画像読取手段と、前記ＲＦＩＤ検出手段により検出することができる診断用ＲＦＩＤタグと、前記ＲＦＩＤ検出手段の検出状態に基づき異常を判定する異常判定手段と、を備え、前記ＲＦＩＤ検出手段は、前記載置面の周縁に沿って配設され、前記載置面上に電磁界を発生させることで、前記読取用ＲＦＩＤタグ及び前記診断用ＲＦＩＤタグから情報を受信し、前記診断用ＲＦＩＤタグは、前記ＲＦＩＤ検出手段の電磁界強度が最弱の位置に配置され、前記異常判定手段は、前記ＲＦＩＤ検出手段により前記読取用ＲＦＩＤタグが検出されないとき、前記診断用ＲＦＩＤタグが検出される場合には前記読取用ＲＦＩＤタグの異常を判定し、前記診断用ＲＦＩＤタグが検出されない場合には前記ＲＦＩＤ検出手段の異常を判定することを特徴とする。
【０００８】
また、上記の画像読取装置は、フラットベッド型であり、前記ＲＦＩＤ検出手段および前記画像読取手段は、当該画像読取装置の本体に設けられ、前記診断用ＲＦＩＤタグは、前記読取対象が載置される載置面を覆う蓋部材に設けられることが好ましい。
【０００９】
また、上記の画像読取装置は、前記蓋部材の開閉状態を検出する開閉検出手段を備え、  前記異常判定手段は、前記ＲＦＩＤ検出手段により前記診断用ＲＦＩＤタグが検出されないとき、前記開閉検出手段により前記蓋部材が閉じでいることが検出される場合には、前記診断用ＲＦＩＤタグを検出したものとする、または前記診断用ＲＦＩＤタグを再度検出することが好ましい。
【発明の効果】
【００１２】
本発明に係る画像読取装置、画像読取方法、及び画像読取プログラムは、診断用ＲＦＩＤタグ及び読取用ＲＦＩＤタグの検出結果に基づいて、読取用ＲＦＩＤタグ自体に異常があるのか、またはＲＦＩＤ検出手段に異常があるのかを判定することができるので、ＲＦＩＤシステムの異常発生箇所を容易に切り分けることが可能となり、ＲＦＩＤシステムの異常箇所を精度良く検出することができるという効果を奏する。
【図面の簡単な説明】
【００１３】
【図１】図１は、本発明の一実施形態に係る画像読取装置の概略構成を示す斜視図である。
【図２】図２は、図１の画像読取装置の原稿カバーを閉じた状態を示す斜視図である。
【図３】図３は、図１，２中のＲＦＩＤアンテナの電磁界強度を示す概略図である。
【図４】図４は、本実施形態に係る画像読取装置の機能ブロック図である。
【図５】図５は、本実施形態に係る画像読取装置により実施される画像読取処理及び異常検出処理を示すフローチャートである。
【発明を実施するための形態】
【００１４】
以下に、本発明に係る画像読取装置の実施形態を図面に基づいて説明する。なお、以下の図面において、同一または相当する部分には同一の参照番号を付し、その説明は繰り返さない。
【００１５】
まず図１〜４を参照して本発明の一実施形態に係る画像読取装置の構成について説明する。図１は、本発明の一実施形態に係る画像読取装置の概略構成を示す斜視図であり、図２は、図１の画像読取装置の原稿カバーを閉じた状態を示す斜視図であり、図３は、図１，２中のＲＦＩＤアンテナの電磁界強度を示す概略図であり、図４は、本実施形態に係る画像読取装置の機能ブロック図である。
【００１６】
図１に示すように、画像読取装置１は、読取対象２０を載置面４に保持して画像読取部３（画像読取手段）を移動させることで、読取対象２０の画像データを作成するフラッドベッド型のスキャナ装置である。この画像読取装置１は、読取対象２０の画像データを作成する際に、さらに読取対象２０に備えられている読取用ＲＦＩＤタグ２１に記録されたＩＤ情報を読み取ることができる。すなわち、本実施形態の画像読取装置１は、ＩＤ情報が記録された読取用ＲＦＩＤタグ２１を備える媒体を主な読取対象２０とするものである。読取対象２０となる媒体としては、具体的には、例えば運転免許証、クレジットカード、キャッシュカードなどのカード類や、紙類などを含むことができる。本実施形態ではこのようなＲＦＩＤタグを備える読取対象２０をまとめて「ＲＦＩＤカード２０」と記載する。
【００１７】
なお、本実施形態で用いる「ＲＦＩＤ」なる用語は、無線方式を用いた情報通信技術やＩＣチップ（タグ）を利用した非接触認証技術を意味するものとして一般的に定義されているものであり、タグがアンテナの出力する電界や磁界に応じて信号を送信するパッシブタイプや、タグが内部電源により信号を送信するアクティブタイプ、およびＦｅｌｉｃａ（登録商標）方式など被接触型ＩＣカード技術などを包含するものと定義できる。本実施形態では、パッシブタイプのＲＦＩＤシステムを例示して説明する。
【００１８】
画像読取装置１は、画像読取部３（画像読取手段）と、ＲＦＩＤアンテナ５（ＲＦＩＤ検出手段）と、制御装置１０とを備えている。
【００１９】
画像読取部３は、画像読取装置１の本体２に内蔵されたスキャナ機能を有する光学読取装置である。画像読取部３は、制御装置１０の制御に従って、載置面４に沿って移動することで載置面４上のＲＦＩＤカード２０の画像を読み取ることができる。
【００２０】
ＲＦＩＤアンテナ５は、ＲＦＩＤタグからＩＤ情報を読み取るための通信装置である。ＲＦＩＤアンテナ５は、載置面４の周縁に沿って方形状に配設され、制御装置１０の制御に従って載置面４上に電界または磁界（以降では「電磁界」と記載する）を発生させる。ＲＦＩＤタグは電磁界に晒されると、内部に記録されたＩＤ情報を無線で発信する性質をもつので、ＲＦＩＤアンテナ５は、載置面４に電磁界を発生させることで、載置面４上のＲＦＩＤカード２０の読取用ＲＦＩＤタグ２１からＩＤ情報を受信することができる。
【００２１】
なお、本実施形態では、ＲＦＩＤアンテナ５は、図１に示すように載置面４の周縁に沿った長方形状なので、ＲＦＩＤアンテナ５が電磁界を発生したときの載置面４上の電磁界強度は、図３に示すように、載置面４の周縁部近傍が最大となり、載置面４の中央部に進むにつれて連続的に減少してゆき、載置面４の中央部近傍にて最小となる。
【００２２】
画像読取装置１は、載置面４を覆う原稿カバー６（蓋部材）を備える。原稿カバー６は、例えば本体２の上面の一辺を回転軸として開閉自在に取り付けられている。原稿カバー６は、図１に示すように開いた状態(以下ではオープン状態とも記載する)では載置面４から上方に離間し、図２に示すように閉じた状態（以下ではクローズ状態とも記載する）では、載置面４とこの載置面４に載置されているＲＦＩＤカード２０を上部から覆うことができるよう構成されている。
【００２３】
この原稿カバー６には、診断用ＲＦＩＤタグ７が備えられている。診断用ＲＦＩＤタグ７は、読取用ＲＦＩＤタグ２１と同様の構成をとるものであり、ＲＦＩＤアンテナ５の電磁界領域に入ったときに内部に記録されたＩＤ情報を発信することができる。
【００２４】
診断用ＲＦＩＤタグ７は、原稿カバー６が閉じた状態のときにＲＦＩＤアンテナ５によりＩＤ情報を読取可能な位置に配置されていればよく、好ましくは、ＲＦＩＤアンテナ５の電磁界強度が最弱の位置に配置される。上述のように本実施形態では、ＲＦＩＤアンテナ５による電磁界強度は載置面４の中央部近傍で最弱となるので、診断用ＲＦＩＤタグ７は、原稿カバー６を閉じたときに載置面４の中央部の上方に位置するように、原稿カバー６の中央部近傍に取り付けられている。これにより、ＲＦＩＤカード２０の読取用ＲＦＩＤタグ２１は、診断用ＲＦＩＤタグ７に比べてＲＦＩＤアンテナ５の電磁界強度が弱い領域には配置されなくなる。このため、診断用ＲＦＩＤタグ７が検出できる状況であれば、ＲＦＩＤカード２０が載置面４のどの位置に載置されたとしても、読取用ＲＦＩＤタグ２１が検出可能となる信頼度を向上できる。
【００２５】
なお、ＲＦＩＤアンテナ５により受信される読取用ＲＦＩＤタグ２１のＩＤ情報とは、例えばこの読取用ＲＦＩＤタグ２１が備え付けられているＲＦＩＤカード２０の種別や持ち主に関する情報など、受信された信号が読取用ＲＦＩＤタグ２１から発信されたものであることを示す情報を含むことができる。また、ＲＦＩＤアンテナ５により受信される診断用ＲＦＩＤタグ７のＩＤ情報とは、診断用ＲＦＩＤタグ７自体に関する情報など、受信された信号が診断用ＲＦＩＤタグ７から発信されたものであることを示す情報を含むことができる。
【００２６】
画像読取装置１の本体２には、さらに図４に示すように、原稿カバー６の開閉を検出するカバー開閉検出部８（開閉検出手段）が内蔵されている。カバー開閉検出部８は、例えばリミットスイッチ、マイクロスイッチ、近接センサなどを適用することができる。
【００２７】
また、画像読取装置１の本体２には、インタフェース部９が内蔵されている。インタフェース部９は、画像読取部３、ＲＦＩＤアンテナ５、及びカバー開閉検出部８と制御装置１０の通信を中継する。インタフェース部９は、例えば入出力ポートなど他機器との通信を行うための通信装置である。
【００２８】
制御装置１０は、画像読取部３によるＲＦＩＤカード２０の画像読取動作や、ＲＦＩＤアンテナ５によるＲＦＩＤタグからのＩＤ情報の読取動作を制御する。本実施形態では、制御装置１０は、さらにＲＦＩＤアンテナ５の読取状態に基づき読取用ＲＦＩＤタグ２１の異常発生、またはＲＦＩＤアンテナ５の異常発生を検出可能に構成されている。
【００２９】
制御装置１０は、図４に示すように、インタフェース部１１と、タグ検出部１２と、画像読取制御部１３と、異常判定部１４（異常判定手段）と、データ記憶部１５と、情報表示部１６と、操作入力部１７とを備えている。
【００３０】
インタフェース部１１は、本体２のインタフェース部９を介して、画像読取部３、ＲＦＩＤアンテナ５及びカバー開閉検出部８と、制御装置１０のタグ検出部１２、画像読取制御部１３、異常判定部１４とを通信可能に接続する。
【００３１】
タグ検出部１２は、ＲＦＩＤアンテナ５を制御して読取用ＲＦＩＤタグ２１及び診断用ＲＦＩＤタグ７からＩＤ情報を取得する。タグ検出部１２は、ＲＦＩＤアンテナ５により取得されたＩＤ情報を分析して、読取用ＲＦＩＤタグ２１または診断用ＲＦＩＤタグ７のどちらから受信したかを特定することで、読取用ＲＦＩＤタグ２１または診断用ＲＦＩＤタグ７のどちらを検出したかを判断することができる。
【００３２】
画像読取制御部１３は、画像読取部３を制御して、ＲＦＩＤカード２０の画像を読み取り、ＲＦＩＤカード２０の画像データを作成する。画像読取制御部１３は、操作入力部１７を介してユーザの操作入力に応じて画像読取動作を実施することができ、作成した画像データをデータ記憶部１５に格納する。
【００３３】
異常判定部１４は、タグ検出部１２による読取用ＲＦＩＤタグ２１及び診断用ＲＦＩＤタグ７の検出結果に基づいて、ＲＦＩＤシステム（読取用ＲＦＩＤタグ２１、ＲＦＩＤアンテナ５）に故障、破損などの何らかの異常が発生しているか否かを判定する。具体的には、異常判定部１４は、（１）読取用ＲＦＩＤタグ２１及び診断用ＲＦＩＤタグ７の両方がタグ検出部１２により検出された場合にはＲＦＩＤシステムに異常は無く、読取用ＲＦＩＤタグ２１からのＩＤ情報の読み取りが可能であると判定し、（２）診断用ＲＦＩＤタグ７のみがタグ検出部１２により検出され、読取用ＲＦＩＤタグ２１が未検出の場合にはＲＦＩＤカード２０の読取用ＲＦＩＤタグ２１に異常が発生しているものと判定し、（３）読取用ＲＦＩＤタグ２１及び診断用ＲＦＩＤタグ７の両方が未検出の場合にはＲＦＩＤアンテナ５または本体側のＲＦＩＤシステムに関する通信回路に異常が発生しているものと判定する。異常判定部１４による異常判定処理の詳細については図５を参照して後述する。
【００３４】
データ記憶部１５は、画像読取制御部１３により作成されたＲＦＩＤカード２０の画像データを格納する。情報表示部１６は、画像読取制御部１３及び異常判定部１４により作成されたメッセージ情報を、例えばディスプレイなどの表示装置に表示して、ユーザに提示する。操作入力部１７は、マウスやキーボード、タッチパネルなどの入力装置を介してユーザの指示入力を検出する。
【００３５】
制御装置１０は、物理的には、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）などを有するコンピュータである。上述した制御装置１０の各機能の全部または一部は、ＲＯＭに保持されるアプリケーションプログラムをＲＡＭにロードしてＣＰＵで実行することによって、ＲＡＭやＲＯＭにおけるデータの読み出し及び書き込みを行うことで実現される。また、制御装置１０は、キーボートやマウスなどの入力装置、ディスプレイなどの表示装置、入出力ポートなどの通信装置を備えており、ＣＰＵで実行されるアプリケーションプログラムがこれらの装置を利用して、ユーザによる指示操作の入力、ユーザへのメッセージや異常判定結果の表示、画像読取装置１の本体２との通信を行うことで、上述した制御装置１０の各機能の全部または一部が実現される。
【００３６】
また、上記のアプリケーションプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。また、アプリケーションプログラムは、制御装置１０に対して任意のネットワークを介して接続されたアプリケーションプログラムサーバに記憶されていてもよく、必要に応じてその全部または一部をダウンロードすることも可能である。
【００３７】
次に、図５を参照して、本実施形態に係る画像読取装置１の動作について説明する。図５は、本実施形態の画像読取装置により実施される画像読取処理及び異常判定処理のフローチャートである。図５のフローチャートは、制御装置１０により例えばＲＦＩＤカード２０の画像読取動作が実施される毎に実施される。
【００３８】
まず、操作入力部１７によりＲＦＩＤカード２０の画像読取動作の開始命令が検出されると、画像読取制御部１３により、タグ読取機能がＯｎ（オン）か否かが確認される（Ｓ１０１）。
【００３９】
ここで、「タグ読取機能」とは、読取用ＲＦＩＤタグ２１からＩＤ情報を読み取る機能である。タグ読取機能がＯｎに設定されると画像読取動作に併せてＲＦＩＤアンテナ５による読取用ＲＦＩＤタグ２１からのＩＤ情報の取得処理が実施される。タグ読取機能がＯｆｆに設定されると、ＩＤ情報の取得処理を行うことなく画像読取部３による画像読取処理のみが実施される。タグ読取機能のＯｎ／Ｏｆｆの設定は、例えば操作入力部１７を介してユーザ操作により行うことができる。
【００４０】
ステップＳ１０１においてタグ読取機能がＯｆｆに設定されている場合（Ｓ１０１のＮｏ）には、ＲＦＩＤアンテナ５によるＩＤ情報の取得処理は実施されず、画像読取部３による画像読取処理のみが実施され（Ｓ１０３）、処理を終了する。
【００４１】
ステップＳ１０１においてタグ読取機能がＯｎに設定されている場合（Ｓ１０１のＹｅｓ）には、次にタグ検出部１２により、ＲＦＩＤアンテナ５が制御されて読取用ＲＦＩＤタグ２１及び診断用ＲＦＩＤタグ７の検出が行われる。そして、タグ検出部１２により、診断用ＲＦＩＤタグ７が検出されたか否かが確認される（Ｓ１０２：ＲＦＩＤ検出ステップ）。検出可否については、例えばＲＦＩＤアンテナ５により取得されたＩＤ情報を分析して、そのＩＤ情報が診断用ＲＦＩＤタグ７から送信されたものであるか否かを判定することで決定することができる。
【００４２】
ステップＳ１０２にて診断用ＲＦＩＤタグ７が検出されていない場合（Ｓ１０２のＮｏには、タグ検出部１２により、診断用タグ読取失敗フラグがＯｎに設定される（Ｓ１０４）。診断用タグ読取失敗フラグは、診断用ＲＦＩＤタグ７が検出できない状態であることを示すフラグである。このフラグがＯｎに設定され診断用ＲＦＩＤタグ７が検出できない状態とは、原稿カバー６がオープン状態であり、診断用ＲＦＩＤタグ７がＲＦＩＤアンテナ５により発生される電磁界領域から外れている状況である。そこで、情報表示部１６により「原稿カバーをクローズするか、または原稿カバーオープンでの読取を指示ください」とのメッセージがユーザに表示される（Ｓ１０５）。
【００４３】
続いて、タグ検出部１２により、ステップＳ１０５のメッセージに応じて原稿カバー６がクローズ状態となったか否かが確認される（Ｓ１０６）。原稿カバー６の開閉状態は、カバー開閉検出部８による原稿カバー６の開閉状態の検知結果から判断できる。原稿カバー６がクローズ状態となったことが判定された場合（Ｓ１０６のＹｅｓ）には、診断用タグ読取失敗フラグがクリアされＯｆｆに設定される（Ｓ１０７）。原稿カバー６がクローズ状態に変わったことにより、診断用ＲＦＩＤタグ７がＲＦＩＤアンテナ５の電磁界領域内に入り検出可能な状態に遷移したので、このとき診断用ＲＦＩＤタグ７は検出されたものとみなすことができ（以降では、この状態を「診断用ＲＦＩＤタグみなし検出」とも表現する）、ステップＳ１１２に移行する。なお、原稿カバー６がクローズ状態となったことが判定された（Ｓ１０６のＹｅｓ）後に、タグ検出部１２が、ＲＦＩＤアンテナ５を制御して実際に診断用ＲＦＩＤタグ７を再度検出し、診断用タグ読取失敗フラグをＯｆｆに設定する（Ｓ１０７）構成としてもよい。
【００４４】
一方、原稿カバーがクローズ状態となったことが確認できない場合（Ｓ１０６のＮｏ）には、次に、原稿カバーオープンでの読取の指示が入力されたか否かが確認される（Ｓ１０８）。原稿カバーオープンでの読取の指示があった場合（Ｓ１０８のＹｅｓ）には、カバーオープン読取フラグがＯｎに設定される（Ｓ１０９）。このとき、原稿カバー６はオープン状態のままであり、診断用ＲＦＩＤタグ７がＲＦＩＤアンテナ５の検出範囲から外れているので、診断用ＲＦＩＤタグ７を検出できない状態とすることができ（以降では、この状態を「診断用ＲＦＩＤタグ未検出」とも表現する）、ステップＳ１１２に移行する。
【００４５】
原稿カバーオープンの読取指示が無い場合（Ｓ１０８のＮｏ）には、タグ検出部１２により所定時間が経過したか否かが確認される（Ｓ１１０）。この所定時間とは、例えば今回のフローが開始されてからの経過時間である。所定時間が経過していない場合（Ｓ１１０のＮｏ）にはステップＳ１０２に戻り、再度、診断用ＲＦＩＤタグ７の検出有無が確認される。所定時間が経過した場合（Ｓ１１０のＹｅｓ）には、原稿カバー６がクローズされず、原稿カバーオープンでの読取指示もなく、ステップＳ１０５のメッセージに応じたユーザの応答がないため、画像読取動作が中止されて（Ｓ１１１）、処理を終了する。
【００４６】
ステップＳ１０２において診断用ＲＦＩＤタグ７が検出された場合（Ｓ１０２のＹｅｓ）、若しくはステップＳ１０７またはＳ１０９の処理の後には、続いてタグ検出部１２により、ＲＦＩＤカード２０の読取用ＲＦＩＤタグ２１(以降では単に「カードタグ」とも記載する)が検出されたか否かが確認される（Ｓ１１２：ＲＦＩＤ検出ステップ）。読取用ＲＦＩＤタグ２１が検出された場合（Ｓ１１２のＹｅｓ）にはステップＳ１１４に移行する。読取用ＲＦＩＤタグ２１が検出されない場合（Ｓ１１２のＮｏ）には、カードタグ読取失敗フラグがＯｎに設定され（Ｓ１１３）、ステップＳ１１４に移行する。カードタグ読取失敗フラグは、読取用ＲＦＩＤタグ２１が検出できない状態であることを示すフラグである。
【００４７】
次に、画像読取制御部１３により、画像読取動作が開始され（Ｓ１１４：画像読取ステップ）、画像読取部３からインタフェース部９，１１を介して、画像読取部３により取得されたＲＦＩＤカード２０の画像データがデータ記憶部１５に記憶される（Ｓ１１５：画像読取ステップ）。続いてカードタグ読取失敗フラグがＯｆｆか否かが確認される（Ｓ１１６）。
【００４８】
カードタグ読取失敗フラグがＯｆｆに設定されている場合（Ｓ１１６のＹｅｓ）には、ＲＦＩＤカード２０の読取用ＲＦＩＤタグ２１からＩＤ情報が読み取られ、ＲＦＩＤカード２０の画像データも取得されており、画像読取操作が正常に行われたものとして処理を終了する。
【００４９】
カードタグ読取失敗フラグがＯｎに設定されている場合（Ｓ１１６のＮｏ）には、タグ検出部１２によりカードタグ（読取用ＲＦＩＤタグ２１）の読取動作が再試行され（Ｓ１１７）、再度、読取用ＲＦＩＤタグ２１が検出されたか否かが確認される（Ｓ１１８：ＲＦＩＤ検出ステップ）。その結果、読取用ＲＦＩＤタグ２１が検出された場合（Ｓ１１８のＹｅｓ）には、画像読取操作が正常に行われたものとして処理を終了する。
【００５０】
一方、読取用ＲＦＩＤタグ２１が検出されなかった場合（Ｓ１１８のＮｏ）には、異常判定部１４により、カバーオープン読取フラグがＯｎに設定されているか否かが確認される（Ｓ１１９）。
【００５１】
カバーオープン読取フラグがＯｎに設定されている場合（Ｓ１１９のＹｅｓ）には、データ記憶部１５に画像データが記憶されているか否かが確認される（Ｓ１２０）。
【００５２】
データ記憶部１５に画像データが記憶されている場合（Ｓ１２０のＹｅｓ）には、診断用ＲＦＩＤタグ７、読取用ＲＦＩＤタグ２１が共に未検出であり、かつ画像データは取得されている状況であり、ＲＦＩＤカード２０の画像読取動作が実施されたにもかかわらずＲＦＩＤタグからＩＤ情報を取得できていない状況である。このことから、異常判定部１４は、ＲＦＩＤカード２０の画像読取動作を実施したものの、ＲＦＩＤアンテナ５に異常が発生し、ＩＤ情報を取得できなかった状況（以降「アンテナ異常」と記載する）と判定することができる。また、この状況は、読取用ＲＦＩＤタグ２１からＩＤ情報を取得できていないが、読取対象（ＲＦＩＤカード２０）の画像データは取得できているので、異常判定部１４は、単に読取対象に読取用ＲＦＩＤタグ２１が設けられていない状況（以降「カードタグなし」と記載する）とも判定することができる。
【００５３】
以上より、異常判定部１４により、情報表示部１６を介して、ユーザに「アンテナ異常ｏｒカードタグなし」のメッセージが表示され（Ｓ１２１）、ＲＦＩＤアンテナ５に異常が発生したか、または読取対象の媒体に読取用ＲＦＩＤタグ２１が無いことがユーザに提示される。このとき、ＲＦＩＤアンテナ５に異常が発生した虞があり、ＩＤ情報の読取動作が正常に行えない可能性があるので、画像読取制御部１３により、「タグ読取機能をＯｆｆにするか？」を確認するメッセージが情報表示部１６を介して提示される（Ｓ１２２）。
【００５４】
データ記憶部１５に画像データが記憶されていない場合（Ｓ１２０のＮｏ）には、診断用ＲＦＩＤタグ７、読取用ＲＦＩＤタグ２１が共に未検出であり、かつ画像データは取得されていない状況となる。このことから、異常判定部１４は、ステップＳ１２１と同様の理由でアンテナ異常を判定することができる。また、この状況では、異常判定部１４は、画像データが取得されていないため、読取対象となるＲＦＩＤカード２０自体が載置面４に載置されない状態で画像読取動作が実施された状況（以降「カードなし」と記載する）とも判定することができる。
【００５５】
以上より、異常判定部１４により、情報表示部１６を介して、ユーザに「アンテナ異常ｏｒカードなし」のメッセージが表示され（Ｓ１２３）、ＲＦＩＤアンテナ５に異常が発生したか、またはＲＦＩＤカード２０が載置面４に無いことがユーザに提示される。
【００５６】
一方、ステップＳ１１９においてカードタグ読取失敗フラグがＯｆｆに設定されている場合（Ｓ１１９のＮｏ）には、データ記憶部１５に画像データが記憶されているか否かが確認される（Ｓ１２４）。
【００５７】
データ記憶部１５に画像データが記憶されている場合（Ｓ１２４のＹｅｓ）には、診断用ＲＦＩＤタグ７は検出またはみなし検出であり、読取用ＲＦＩＤタグ２１が未検出であり、かつ画像データは取得されている状況となる。このことから、異常判定部１４は、ＲＦＩＤアンテナ５が読取用ＲＦＩＤタグ２１のみを検出できていない状況であるので、ＲＦＩＤカード２０の読取用ＲＦＩＤタグ２１に異常が発生し、ＩＤ信号を送信できなかった状況（以降「カードタグ異常」と記載する）と判定することができる。同様に、この状況では、読取用ＲＦＩＤタグ２１からＩＤ情報を取得できていないが読取対象（ＲＦＩＤカード２０）の画像データは取得できているので、異常判定部１４は「カードタグなし」とも判定することができる。
【００５８】
以上より、異常判定部１４により、情報表示部１６を介して、ユーザに「カードタグ異常ｏｒカードタグなし」のメッセージが表示され（Ｓ１２５）、読取用ＲＦＩＤタグ２１に異常が発生したか、または読取対象の媒体に読取用ＲＦＩＤタグ２１が無いことがユーザに提示される。このとき、読取用ＲＦＩＤタグ２１に異常が発生している虞があり、ＩＤ情報の読取動作が正常に行えない可能性があるので、画像読取制御部１３により、「タグ読取機能をＯｆｆにするか？」を確認するメッセージが情報表示部１６を介してユーザに提示される（Ｓ１２６）。
【００５９】
データ記憶部１５に画像データが記憶されていない場合（Ｓ１２４のＮｏ）には、診断用ＲＦＩＤタグ７は検出またはみなし検出、読取用ＲＦＩＤタグ２１が未検出であり、かつ画像データは取得されていない状況となる。このことから、異常判定部１４は、ＲＦＩＤカード２０が載置面にない状況（「カードなし」）も判定することができる。異常判定部１４により、情報表示部１６を介して、ユーザに「カードなし」のメッセージが表示され（Ｓ１２７）、ＲＦＩＤカード２０が載置面４にないことが提示される。
【００６０】
なお、図５のフローチャートにおいて、ステップＳ１１９〜Ｓ１２７が、本実施形態に係る画像読取方法の異常判定ステップに対応する。
【００６１】
次に、本実施形態に係る画像読取装置１の効果について説明する。
【００６２】
本実施形態の画像読取装置１は、ＲＦＩＤカード２０に設けられた読取用ＲＦＩＤタグ２１を検出するＲＦＩＤアンテナ５と、ＲＦＩＤカード２０の画像を読み取る画像読取部３と、ＲＦＩＤアンテナ５により検出することができる診断用ＲＦＩＤタグ７と、ＲＦＩＤアンテナ５の検出状態に基づき異常を判定する制御装置１０の異常判定部１４と、を備える。異常判定部１４は、ＲＦＩＤアンテナ５により読取用ＲＦＩＤタグ２１が検出されないとき、診断用ＲＦＩＤタグ７が検出される場合には読取用ＲＦＩＤタグ２１の異常を判定し、診断用ＲＦＩＤタグ７が検出されない場合にはＲＦＩＤアンテナ５の異常を判定する。
【００６３】
この構成により、診断用ＲＦＩＤタグ７と、読取用ＲＦＩＤタグ２１の検出結果に基づいて、読取用ＲＦＩＤタグ２１に異常があるのか、またはＲＦＩＤアンテナ５に異常があるのかを判定することができるので、異常発生箇所を容易に切り分けることが可能となり、ＲＦＩＤシステムの異常箇所を精度良く検出することができる。この結果、画像読取装置１のＲＦＩＤシステムに異常が発生した時には、異常発生箇所がＲＦＩＤタグ側なのかＲＦＩＤアンテナ側なのかが明確となるので、異常箇所の特定が容易となり、迅速に対処することができ、ユーザは業務停止時間を最小限にできる。
【００６４】
また、本実施形態の画像読取装置１はフラットベッド型であり、ＲＦＩＤアンテナ５および画像読取部３は、画像読取装置１の本体２に設けられ、診断用ＲＦＩＤタグ７は、ＲＦＩＤカード２０が載置される載置面４を覆う原稿カバー６に設けられる。
【００６５】
この構成により、原稿カバー６を閉じてＲＦＩＤカード２０の読取動作を行う時には、ＲＦＩＤアンテナ５と診断用ＲＦＩＤタグ７との間に必ず読取用ＲＦＩＤタグ２１が位置することになる。このため、診断用ＲＦＩＤタグ７が検出可能ならば、載置面４のどこにＲＦＩＤカード２０を置いても、読取用ＲＦＩＤタグ２１を検出することが可能となる。この結果、ＲＦＩＤカード２０の配置などユーザの使い方に依存することなくＲＦＩＤシステムの異常判定処理を精度良く実行できる。
【００６６】
また、本実施形態の画像読取装置１は、原稿カバー６の開閉状態を検出するカバー開閉検出部８を備え、異常判定部１４は、ＲＦＩＤアンテナ５により診断用ＲＦＩＤタグ７が検出されないとき、カバー開閉検出部８により原稿カバー６が閉じていることが検出される場合には、診断用ＲＦＩＤタグ７を検出したものとする、または診断用ＲＦＩＤタグ７を再度検出する。
【００６７】
この構成により、原稿カバー６がオープン状態からクローズ状態に変化し、診断用ＲＦＩＤタグ７が物理的に検出できなかった状況から検出可能な状況に遷移した場合に、診断用ＲＦＩＤタグ７を検出したものとみなす、または診断用ＲＦＩＤタグ７を再度検出することができるので、診断用ＲＦＩＤタグ７の検出結果をより精度よくすることが可能となり、ＲＦＩＤシステムの異常判定の精度を向上できる。
【００６８】
本発明の実施形態を説明したが、上記実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００６９】
例えば、上記実施形態では、制御装置１０は本体２とは別体として設け、本体２と通信することで画像読取装置１の本体２内の各要素を制御していたが、制御装置１０を本体２内部に一体的に設けてもよい。この場合、図４に示すようなインタフェース部９，１１を介さずに、画像読取部３、ＲＦＩＤアンテナ５、カバー開閉検出部８と、タグ検出部１２、画像読取制御部１３、異常判定部１４とは、本体２の内部で通信可能に直接接続される。
【００７０】
また、上記実施形態では、画像読取装置１としてフラッドベッド型のスキャナ装置を例示したが、画像読取装置１は、読取対象に備えられた読取用ＲＦＩＤタグ２１とは別の診断用ＲＦＩＤタグ７を装置側に備える構成であればよく、例えばＡＤＦ（Ａｕｔｏ  Ｄｏｃｕｍｅｎｔ  Ｆｅｅｄｅｒ）型のスキャナ装置などの他のスキャナ装置であってもよい。また、画像読取装置１は、読取媒体であるＲＦＩＤカード２０の画像読取動作を実施できる装置であればよく、スキャナ装置の他にも複写機、ファクシミリ、文字認識装置などを含めることができる。
【００７１】
また、上記実施形態では、診断用ＲＦＩＤタグ７は、原稿カバー６の中央部近傍に設けられたが、原稿カバー６の他の位置に配置してもよい。例えば、原稿カバー６上で任意の方向にスライド可能に設置したり、マグネットやマジックテープなどの着脱手段によって原稿カバー６の任意の位置に配置可能とすることができる。また、異なる位置に診断用ＲＦＩＤタグ７を設置した複数の原稿カバー６を用意し、適宜使い分ける構成とすることもできる。これにより、例えば経年変化などに起因するＲＦＩＤアンテナ５の電磁界強度の分布の変化が生じたとしても診断用ＲＦＩＤタグ７を適切に配置することができる。また、診断用ＲＦＩＤタグ７が破損した場合には、装置全体ではなく部分的に安価な単位で容易に交換が可能なので、メンテナンスのコストを抑制できる。
【符号の説明】
【００７２】
１  画像読取装置
２  本体
３  画像読取部（画像読取手段）
４  載置面
５  ＲＦＩＤアンテナ（ＲＦＩＤ検出手段）
６  原稿カバー（蓋部材）
７  診断用ＲＦＩＤタグ
８  カバー開閉検出部（開閉検出手段）
１０  制御装置
１４  異常判定部（異常判定手段）
２０  ＲＦＩＤカード（読取対象）
２１  読取用ＲＦＩＤタグ
【図１】
0005744764.tif 000002
【図２】
0005744764.tif 000003
【図３】
0005744764.tif 000004
【図４】
0005744764.tif 000005
【図５】
0005744764.tif 000006